【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
光源からの制御光に応答自在であり、制御充電電力を発生する制御光起電力セルと、
前記制御充電電力を蓄積し、制御給電電力を発生するコンデンサと、
前記制御給電電力が給電され、照明システムに通信信号を発生する制御マイクロコントローラユニット（ＭＣＵ）／トランシーバとを備え、
前記制御マイクロコントローラユニット（ＭＣＵ）／トランシーバは、コンデンサの充電状態をモニタし、この充電状態が低い充電設定ポイントよりも下回ると、前記制御光を増加するように前記照明システムに命令するようになっている、照明システムにおける光源から充電される制御デバイス。
【請求項２】
前記充電状態が前記低い充電設定ポイントを下回ると、前記制御給電電力を発生するよう、前記コンデンサに作動的に接続された電池を更に備える、請求項１に記載のデバイス。
【請求項３】
前記電池は、再充電可能な電池である、請求項２に記載のデバイス。
【請求項４】
制御外部物体から制御作動入力信号を受信すると共に、前記制御ＭＣＵ／トランシーバに作動信号を提供する制御作動インターフェースを更に備える、請求項１に記載のデバイス。
【請求項５】
前記制御作動インターフェースは、キーボード、タッチ感応液晶ディスプレイ、光センサおよび人存在検出センサからなる群から選択されたものである、請求項４に記載のデバイス。
【請求項６】
前記制御ＭＣＵ／トランシーバに位置情報を提供するように作動的に接続された全地球測位システム（ＧＰＳ）を更に備える、請求項１に記載のデバイス。
【請求項７】
光起電力セルから充電可能なコンデンサを有する制御デバイスを設けるステップと、
前記コンデンサの充電状態をモニタするステップと、
前記充電状態が低い充電設定ポイント未満であることを判断するステップと、
前記充電状態が前記低い充電設定ポイント未満であるときに、前記光源から前記光起電力セルへの光を増加するステップとを備えた、光源から制御デバイスを充電するための方法。
【請求項８】
前記充電状態がフルに充電された設定ポイントよりも大となったことを判断するステップと、
前記充電状態が前記フルに充電された設定ポイントよりも大となったときに、前記光源からの光を現在の光要求量に設定するステップとを更に備えた、請求項７に記載の方法。
【請求項９】
利用可能な光から前記制御デバイスを充電するステップを更に備えた、請求項７に記載の方法。
【請求項１０】
充電状態が前記低い充電設定ポイント未満となったときに、バックアップ電池から前記制御デバイスに給電するステップを更に備えた、請求項７に記載の方法。
【請求項１１】
前記充電状態が前記低い充電設定ポイント未満となったときにアラームを発生するステップを更に備える、請求項７に記載の方法。
【請求項１２】
前記光源は、複数の光源であり、制御デバイスの位置を定めるステップを更に備え、前記光を増加するステップは、前記制御デバイスの位置にて前記複数の光源からの光を増加することを含む、請求項７に記載の方法。
【請求項１３】
光源から制御デバイスに給電するためのシステムであって、前記制御デバイスは、光起電力セルから充電可能なコンデンサを有し、
本システムは、
前記コンデンサの充電状態をモニタするための手段と、
前記充電状態が低い充電設定ポイント未満となったことを判断するための手段と、
前記充電状態が前記低い充電設定ポイント未満となったときに、前記光源から前記光起電力セルまでの光を増加するための手段とを備えるシステム。
【請求項１４】
前記充電状態がフル充電設定ポイントよりも大となったことを判断する手段と、
前記充電状態が前記フル充電設定ポイントよりも大となったときに、前記光源からの光を現在の光要求量に設定する手段とを更に備えた、請求項１３に記載のシステム。
【請求項１５】
利用可能な光から前記制御デバイスを充電する手段を更に備えた、請求項１３に記載のシステム。
【請求項１６】
充電状態が前記低い充電設定ポイント未満となったときに、バックアップ電池から前記制御デバイスに給電する手段を更に備えた、請求項１３に記載のシステム。
【請求項１７】
前記充電状態が前記低い充電設定ポイント未満となったときにアラームを発生する手段を更に備える、請求項１３に記載のシステム。
【請求項１８】
前記光源は、複数の光源であり、制御デバイスの位置を定める手段を更に備え、前記光を増加する手段は、前記制御デバイスの位置にて前記複数の光源からの光を増加する手段を含む、請求項１３に記載のシステム。
【請求項１９】
光源からの制御光に応答自在であり、制御充電電力を発生する制御光起電力セルと、
制御充電電力を蓄積すると共に、制御給電電力を発生する制御電力蓄積装置と、
前記制御給電電力が給電され、照明システムに通信信号を発生する制御マイクロコントローラユニット（ＭＣＵ）／トランシーバと、
制御外部物体から制御作動入力信号を受信し、この作動信号を制御ＭＣＵ／トランシーバに提供する制御作動インターフェースとを備え、
前記制御マイクロコントローラユニット（ＭＣＵ）／トランシーバは、コンデンサの充電状態をモニタし、この充電状態が低い充電設定ポイントよりも下回ると、前記制御光を増加するように前記照明システムに命令するようになっている、照明システムにおける光源から充電されるリモートセンサ。
【請求項２０】
前記制御電力蓄積装置は、コンデンサと、再充電可能な電池と、コンデンサと電池との組み合わせとから成る群から選択されたものである、請求項１９に記載のセンサ。
【請求項２１】
前記制御電力蓄積装置は、コンデンサに作動的に接続された電池を含む、コンデンサと電池との組み合わせであり、充電状態が前記一定の充電設定ポイントより下回ると、前記電池は、制御給電電力を発生する請求項１９に記載のセンサ。
【請求項２２】
前記電池は、再充電可能な電池である、請求項２１に記載のセンサ。
【請求項２３】
前記制御作動インターフェースは、キーボード、タッチ感応液晶ディスプレイ、光センサおよび人存在検出センサからなる群から選択されたものである、請求項１９に記載のセンサ。
【請求項２４】
光起電力セルから充電可能な制御電力蓄積装置を有するリモートセンサを設けるステップと、
前記制御電力蓄積装置の充電状態をモニタするステップと、
前記充電状態が低い充電設定ポイント未満であることを判断するステップと、
前記充電状態が前記低い充電設定ポイント未満であるときに、前記光源から前記光起電力セルへの光を増加するステップとを備えた、光源からリモートセンサへ充電するための方法。
【請求項２５】
前記充電状態がフル充電設定ポイントよりも大となったことを判断するステップと、
前記充電状態が前記フル充電説定ポイントよりも大となったときに、前記光源からの光を現在の光要求量に設定するステップとを更に備えた、請求項２４に記載の方法。
【請求項２６】
前記リモートセンサは、光センサと、人存在検出センサとから成る群から選択されたものである、請求項２４に記載の方法。
【請求項２７】
利用できる光から前記リモートセンサを充電するステップを更に備えた、請求項２４に記載の方法。
【請求項２８】
前記制御電力蓄積装置は、コンデンサと、再充電可能な電池と、コンデンサと電池との組み合わせとから成る群から選択されたものである、請求項２４に記載の方法。
【請求項２９】
前記制御電力蓄積装置は、コンデンサと電池との組み合わせであり、前記充電状態が前記低い充電設定ポイント未満となったときに、前記電池から前記制御デバイスに給電するステップを更に備えた、請求項２４に記載の方法。
【請求項３０】
前記電池は再充電可能な電池である、請求項２９に記載の方法。
【請求項３１】
前記充電状態が前記低い充電設定ポイント未満となったときにアラームを発生するステップを更に備える、請求項２４に記載の方法。
【請求項３２】
前記光源は、複数の光源であり、制御デバイスの位置を定めるステップを更に備え、前記光を増加するステップは、前記制御デバイスの位置にて前記複数の光源からの光を増加することを含む、請求項２４に記載の方法。
【請求項３３】
光源からリモートセンサに給電するためのシステムであって、前記リモートセンサは、光起電力セルから充電可能な制御電力蓄積装置を有し、
本システムは、
前記制御電力蓄積装置の充電状態をモニタするための手段と、
前記充電状態が低い充電設定ポイント未満となったことを判断するための手段と、
前記充電状態が前記低い充電設定ポイント未満となったときに、前記光源から前記光起電力セルまでの光を増加するための手段とを備えるシステム。
【請求項３４】
前記充電状態がフル充電設定ポイントよりも大となったことを判断する手段と、
前記充電状態が前記フル充電設定ポイントよりも大となったときに、前記光源からの光を現在の光要求量に設定する手段とを更に備えた、請求項３３に記載のシステム。
【請求項３５】
利用可能な光から前記リモートセンサを充電する手段を更に備えた、請求項３３に記載のシステム。
【請求項３６】
前記制御電力蓄積装置は、コンデンサと電池の組み合わせであり、前記充電状態は前記低い充電設定ポイント未満となったときに、前記電池から前記制御デバイスに給電するための手段を更に備える、請求項３３記載のシステム。
【請求項３７】
前記充電状態が前記低い充電設定ポイント未満となったときにアラームを発生するステップを更に備える、請求項３３に記載のシステム。
【請求項３８】
前記光源は、複数の光源であり、制御デバイスの位置を定める手段を更に備え、前記光を増加する手段は、前記制御デバイスの位置にて前記複数の光源からの光を増加する手段を含む、請求項３３に記載のシステム。
【請求項３９】
制御給電電力を発生する制御電力蓄積装置と、
前記制御給電電力が給電され、通信信号を発生する制御マイクロコントローラユニット（ＭＣＵ）／トランシーバと、
制御外部物体から制御作動入力を受信し、前記制御ＭＣＵ／トランシーバに作動信号を供給する制御作動インターフェースと、
充電器用充電光に応答自在であり、充電器用充電電力を発生する充電器光起電力セルと、
前記充電器用充電電力を充電し、前記充電電力および充電器用電力を発生する充電器用電力蓄積装置と、
前記充電器用電力蓄積装置と前記制御電力蓄積装置との間で前記制御デバイスインターフェースを通して前記充電器用電力を伝えるよう、前記制御デバイスインターフェースに作動的に接続可能な充電インターフェースとを備える、制御デバイスの充電システム。
【請求項４０】
制御外部物体からの制御作動入力を受けると共に、前記制御ＭＣＵ／トランシーバに作動信号を供給する制御作動インターフェースを更に備えた、請求項３９に記載のシステム。
【請求項４１】
前記制御作動インターフェースは、キーボード、タッチ感応液晶ディスプレイ、光センサおよび人存在検出センサからなる群から選択されたものである、請求項４０に記載のシステム。
【請求項４２】
前記充電器用電力蓄積装置の充電状態をモニタすると共に、前記充電状態が低い充電設定ポイントを下回ったときに、前記充電器用充電光の増加を命令するように作動的に接続された、充電器用マイクロコントローラユニット（ＭＣＵ）／トランシーバを更に備えた、請求項３９に記載のシステム。
【請求項４３】
制御光に応答自在であり、前記制御電力蓄積装置に供給される制御充電電力を発生する制御光起電力セルを更に備えた、請求項３９記載のシステム。